(57)【要約】【課題】  軽量で安価なサンバイザを簡素な型構造でかつ設備費の高騰を招くことなく提供する。【解決手段】  ミラーＭをミラー挿入口１１ｃよりミラー挿入口１１ｃを弾性変形させながら矩形枠５内に挿入して四辺を矩形枠５で囲む。ミラーＭのミラー挿入口１１ｃ側の辺である第１短辺枠部１１とこの辺に対向する辺である第２短辺枠部１３とを、矩形枠５に突設された当接片１１ｂ，１３ｂとサンバイザ本体１に突設された第１及び第２当てリブ１５，１７とで挟持してミラーＭを矩形枠５内に保持する。【選択図】  図１
2006007808.tif 000002
【特許請求の範囲】
【請求項１】
格納位置と遮光位置とに切替え可能な板状の樹脂製サンバイザ本体にミラーが取り付けられたサンバイザのミラー取付け構造であって、
上記サンバイザ本体には、矩形枠が一体に突設され、
この矩形枠の一辺には、サンバイザ本体の長手方向と直交する方向に延びかつ矩形枠突出方向の開口寸法がミラーの厚さより小さく設定された部分を有する弾性変形可能なスリット状のミラー挿入口が形成され、
上記矩形枠のミラー挿入口側の辺と該辺に対向する辺とには、当接片がそれぞれ矩形枠内に向かって一体に突設され、
上記サンバイザ本体の矩形枠で囲まれる領域の少なくとも上記両当接片に対応する箇所には、当てリブが突設され、
ミラーは、上記ミラー挿入口より該ミラー挿入口を弾性変形させながら矩形枠内に挿入されて四辺を矩形枠で囲まれ、かつミラー挿入口側の辺と該辺に対向する辺とが上記当接片と当てリブとで挟持されて矩形枠内に保持されていることを特徴とするサンバイザのミラー取付け構造。
【請求項２】
請求項１記載のサンバイザのミラー取付け構造において、
ミラー挿入口の矩形枠突出方向の開口寸法は、長手方向両端でミラーの厚さより大きく、そこから長手方向中央に行くに従って徐々に小さくなり、長手方向中央でミラーの厚さより小さくなっていることを特徴とするサンバイザのミラー取付け構造。
【発明の詳細な説明】
【技術分野】
【０００１】
この発明は、車両の運転席や助手席への直射光を避けるために設けられるサンバイザのミラー取付け構造に関するものである。
【背景技術】
【０００２】
特許文献１には、ミラーを備えたサンバイザが開示されている。このサンバイザは、成形型にミラーをセットし、サンバイザ本体をブロー成形する際に上記ミラー外周を樹脂で包み込んでサンバイザ本体にミラーを取り付けるようにしている。
【特許文献１】特開平８−２６８０５７号公報（第３頁、図１，２）
【発明の開示】
【発明が解決しようとする課題】
【０００３】
ところで、上記の特許文献１のミラー取付け構造では、成形型にミラーセット用の突出部を形成し、ミラー裏面に磁石を取り付けて磁力の作用でミラーを突出部に吸着保持したり、あるいは上記突出部にエア吸引孔を穿設して真空引きによりミラーを突出部に吸着保持するようにしている。このため、前者の場合には、サンバイザの機能上必要でない磁石がサンバイザ本体内に埋設されたまま残ってしまい、その分だけ重量が増大するとともに製品単価が高騰する。後者の場合には、エア吸引孔の穿設や真空ポンプ等が必要で型構造が複雑になるとともに設備費が高騰する。
【０００４】
この発明はかかる点に鑑みてなされたものであり、その目的とするところは、ミラー取付け構造が一体に形成された軽量で安価なサンバイザを簡素な型構造でかつ設備費の高騰を招くことなく提供することである。
【課題を解決するための手段】
【０００５】
上記の目的を達成するため、この発明は、ミラーを枠で保持するようにし、かつこの枠構造を工夫したことを特徴とする。
【０００６】
具体的には、この発明は、格納位置と遮光位置とに切替え可能な板状の樹脂製サンバイザ本体にミラーが取り付けられたサンバイザのミラー取付け構造を対象とし、次のような解決手段を講じた。
【０００７】
すなわち、請求項１に記載の発明は、上記サンバイザ本体には、矩形枠が一体に突設され、この矩形枠の一辺には、サンバイザ本体の長手方向と直交する方向に延びかつ矩形枠突出方向の開口寸法がミラーの厚さより小さく設定された部分を有する弾性変形可能なスリット状のミラー挿入口が形成され、上記矩形枠のミラー挿入口側の辺と該辺に対向する辺とには、当接片がそれぞれ矩形枠内に向かって一体に突設され、上記サンバイザ本体の矩形枠で囲まれる領域の少なくとも上記両当接片に対応する箇所には、当てリブが突設され、ミラーは、上記ミラー挿入口より該ミラー挿入口を弾性変形させながら矩形枠内に挿入されて四辺を矩形枠で囲まれ、かつミラー挿入口側の辺と該辺に対向する辺とが上記当接片と当てリブとで挟持されて矩形枠内に保持されていることを特徴とする。
【０００８】
請求項２に記載の発明は、請求項１に記載の発明において、ミラー挿入口の矩形枠突出方向の開口寸法は、長手方向両端でミラーの厚さより大きく、そこから長手方向中央に行くに従って徐々に小さくなり、長手方向中央でミラーの厚さより小さくなっていることを特徴とする。
【発明の効果】
【０００９】
請求項１に係る発明によれば、磁石というサンバイザの機能上必要でない別部品がいらず、軽量で安価なサンバイザを得ることができる。また、エア吸引孔の穿設や真空ポンプ等が不要で型構造を簡素にすることができるとともに設備費の高騰を回避することができる。さらに、ミラーを矩形枠内で当接片と当てリブとで挟持してガタ付かないように安定して取り付けることができる。また、ミラーをミラー挿入口から圧入するだけで簡単に取り付けることができ、しかも、一旦挿入してしまうと、ミラー挿入時に弾性変形していたミラー挿入口が元の開口形状に復元してミラーを外部に抜け出ないようにすることができる。
【００１０】
請求項２に係る発明によれば、ミラーの挿入によりミラー挿入口の長手方向中央を容易に弾性変形させてミラーの挿入を簡単に行うことができる。また、スリット状の開口形状がなだらかに変化しているので、ミラー挿入口に例えば抜け止め用の突起を膨出させた場合に比べて見栄えを良くすることができる。
【発明を実施するための最良の形態】
【００１１】
以下、この発明の実施の形態について図面に基づいて説明する。
【００１２】
図５はこの発明の実施の形態に係るミラー取付け構造が適用されたサンバイザＳを示す。このサンバイザＳは、車幅方向に延び所定の遮光面積を有する偏平な板状の樹脂製サンバイザ本体１を備え、サンバイザ本体１の長辺側である一辺には膨出部３が一体に形成され、この膨出部３の一端にはステー３ａが突設されているとともに、他端には軸挿入孔３ｂが上記ステー３ａと同軸になるように形成されている。そして、上記サンバイザＳをフロントウインド上方の車体内装パネルのサンバイザ取付部（図示せず）に配置し、上記ステー３ａをサンバイザ取付部に形成された挿入孔に挿入するとともに、サンバイザ取付部に形成された軸孔と上記軸挿入孔３ｂとに軸を挿入することにより、サンバイザＳを回動自在に保持し、この状態で、サンバイザＳがステー３ａ及び軸回りに上下方向に回動して上記サンバイザ取付部に沿うように位置する格納位置と、フロントウインド内面に沿うように位置する遮光位置とに切り替え可能になっている。
【００１３】
上記サンバイザ本体１の片面（遮光位置で車室側に向く面）には、矩形枠５が一体に突設されている。この矩形枠５は、サンバイザ本体１の長手方向に平行に延びる第１及び第２長辺枠部７，９と、サンバイザ本体１の長手方向と直交する方向に平行に延びる第１及び第２短辺枠部１１，１３とで構成されている。図１〜３に拡大して示すように、上記第１及び第２長辺枠部７，９は、サンバイザ本体１から真っ直ぐに直角に突出し、その間隔はミラーＭの短辺寸法に略等しく設定されている。
【００１４】
一方、上記第１及び第２短辺枠部１１，１３は、サンバイザ本体１から真っ直ぐに直角に突出した縦壁１１ａ，１３ａと、これら縦壁１１ａ，１３ａの突出端にそれぞれ矩形枠５内に向かって直角に一体に突設された当接片１１ｂ，１３ｂとからなり、上記縦壁１１ａ，１３ａの間隔はミラーＭの長辺寸法に略等しく設定され、上記当接片１１ｂ，１３ｂの間隔はミラーＭの長辺寸法よりも当接片１１ｂ，１３ｂの突出分だけ狭く設定されている。
【００１５】
上記矩形枠５の一辺である第１短辺枠部１１には、弾性変形可能なスリット状のミラー挿入口１１ｃが形成されている。つまり、上記当接片１１ｂ，１３ｂは、上記矩形枠５のミラー挿入口１１ｃ側の辺と該辺に対向する辺とにそれぞれ矩形枠５内に向かって一体に突設されている。上記ミラー挿入口１１ｃは、サンバイザ本体１の長手方向と直交する方向に延び、かつ矩形枠突出方向の開口寸法がミラーＭの厚さより小さく設定された部分を有している。具体的には、ミラー挿入口１１ｃの矩形枠突出方向の開口寸法は、長手方向両端でミラーＭの厚さより大きく、そこから長手方向中央に行くに従って徐々に小さくなり、長手方向中央でミラーＭの厚さより小さくなっている（図３参照）。
【００１６】
上記サンバイザ本体１の矩形枠５で囲まれる領域の上記両当接片１１ｂ，１３ｂに対応する箇所には、サンバイザ本体１の長手方向に延びる当てリブが２個ずつ突設されている。以下、ミラー挿入口１１ｃ側の当てリブを第１当てリブ１５と称呼するとともに、ミラー挿入口１１ｃと対向する奥部側の当てリブを第２当てリブ１７と称呼する。また、サンバイザ本体１の矩形枠５で囲まれる領域のほぼ中央にも、サンバイザ本体１の長手方向に延びる別の第３当てリブ１９が突設されている。これら第１〜３当てリブ１５，１７，１９は、第１当てリブ１５、第２当てリブ１７、第３当てリブ１９の順に長く設定されている。上記第１当てリブ１５が最も短く設定されているのは、図４（ａ）に示すように、ミラーＭをミラー挿入口１１ｃに挿入する際に、挿入し易いように挿入角度の変化に大きな自由度を持たせるためであり、第１当てリブ１５の高さもミラーＭの挿入に支障を来さないようにミラー挿入口１１ｃの下辺からミラー挿入口１１ｃに突出しないように設定されている。上記第１当てリブ１５の矩形枠５内方側の端部には、突状湾曲部１５ａが矩形枠５内方に向かって前下がりに形成され、ミラーＭの挿入の容易化を図っている。また、上記第２及び第３当てリブ１７，１９のミラー挿入口１１ｃ側の端部には、直線状の傾斜部１７ａ，１９ａがミラー挿入口１１ｃ側に向かって前下がりにそれぞれ形成され、ミラー挿入口１１ｃから挿入されたミラーＭの挿入端が第２及び第３当てリブ１７，１９に引っ掛かってそれ以降挿入できない事態を避けるために、ミラーＭの挿入端を上記傾斜部１７ａ，１９ａで案内して第２及び第３当てリブ１７，１９上に乗り上げさせるようにしている。
【００１７】
そして、ミラーＭは、上記ミラー挿入口１１ｃより該ミラー挿入口１１ｃを弾性変形させながら矩形枠５内に挿入される。この際、図４（ａ）及び図４（ｂ）に示すように、ミラー挿入口１１ｃの長手方向中央がミラーＭにより押圧されて矩形枠突出方向の開口寸法がミラーＭの厚さに等しく拡げられ、その結果、第１短辺枠部１１の当接片１１ｂが膨らみをもって湾曲する。ミラーＭは、挿入の進行に伴って第３当てリブ１９の傾斜部１９ａに案内されながら第３当てリブ１９に乗り上げ、さらに、第２当てリブ１７の傾斜部１７ａに案内されながら第２当てリブ１７に乗り上げ、最終的に全体が矩形枠５内に挿入されて四辺を矩形枠５で囲まれる。この状態で、ミラーＭは、ミラー挿入口１１ｃ側の辺と該辺に対向する辺とが当接片１１ｂ，１３ｂと第１及び第２当てリブ１５，１７とで挟持されるとともに、ミラーＭ裏面のほぼ中央部が第３当てリブ１９で支持されて矩形枠５内に保持される。このようにしてミラーＭがサンバイザ本体１に取り付けられる。
【００１８】
このように、サンバイザ本体１に矩形枠５を一体に突設し、この矩形枠５の一辺である第１短辺枠部１１に形成されたミラー挿入口１１ｃから該ミラー挿入口１１ｃを弾性変形させながらミラーＭを矩形枠５内に挿入して、ミラーＭのミラー挿入口１１ｃ側の辺と該辺に対向する辺とを第１及び第２短辺枠部１１，１３の当接片１１ｂ，１３ｂとこれら当接片１１ｂ，１３ｂに対応する第１及び第２当てリブ１５，１７とで挟持したので、ミラーＭをガタ付かないように安定してサンバイザ本体１に取り付けることができる。
【００１９】
また、ミラーＭをミラー挿入口１１ｃから圧入するだけで簡単に取り付けることができ、しかも、一旦挿入してしまうと、ミラー挿入時に弾性変形していたミラー挿入口１１ｃが元の開口形状に復元してミラーＭを外部に抜け出ないようにすることができる。
【００２０】
さらに、ミラー挿入口１１ｃの矩形枠突出方向の開口寸法を、長手方向両端でミラーＭの厚さより大きく、そこから長手方向中央に行くに従って徐々に小さくなり、長手方向中央でミラーＭの厚さより小さくしたので、ミラーＭの挿入によりミラー挿入口１１ｃの長手方向中央を容易に弾性変形させてミラーＭの挿入を簡単に行うことができる。また、スリット状の開口形状がなだらかに変化しているので、ミラー挿入口１１ｃに例えば抜け止め用の突起を膨出させた場合に比べて見栄えを良くすることができる。
【００２１】
加えて、特許文献１に開示されている磁石というサンバイザＳの機能上必要でない別部品がいらず、ミラー取付け構造が一体に形成された軽量で安価なサンバイザＳを得ることができる。また、エア吸引孔の穿設や真空ポンプ等が不要で型構造を簡素にすることができるとともに設備費の高騰を回避することができる。
【産業上の利用可能性】
【００２２】
この発明は、車両の運転席や助手席への直射光を避けるために設けられるサンバイザのミラー取付け構造として有用である。
【図面の簡単な説明】
【００２３】
【図１】図５のＡ−Ａ線における断面図である。
【図２】図５のＢ−Ｂ線における断面図である。
【図３】図５のＣ−Ｃ線における断面図である。
【図４】ミラーをミラー挿入口から矩形枠内に挿入する過程を示し、（ａ）はミラー挿入口側から見た図面、（ｂ）は断面図である。
【図５】サンバイザの平面図である。
【符号の説明】
【００２４】
１              サンバイザ本体
５              矩形枠
１１            第１短辺枠部（ミラー挿入口側の辺）
１１ｂ，１３ｂ  当接片
１１ｃ          ミラー挿入口
１３            第２短辺枠部（ミラー挿入口側の辺に対向する辺）
１５            第１当てリブ
１７            第２当てリブ
１９            第３当てリブ
Ｍ              ミラー
Ｓ              サンバイザ
【図１】
2006007808.tif 000003
【図２】
2006007808.tif 000004
【図３】
2006007808.tif 000005
【図４】
2006007808.tif 000006
【図５】
2006007808.tif 000007